(57)【特許請求の範囲】
【請求項１】
スライダーは上翼板部材２０と下翼板部材２１と仕切板部材２２とから構成し、上翼板部材２０には下翼板部材２１へ向けて突出する上側案内柱２３を設け、下翼板部材２１には上翼板部材２０へ向けて突出する下側案内柱２４を設け、上側案内柱２３と下側案内柱２４との間の上側に被覆部材３３の挿通路７、下側に線条ファスナーエレメント４０の挿通路８を形成する仕切板部材２２を配して挟着し、仕切板部材２２と下翼板部材２１との対向面の少なくとも一方に案内柱４から後口１４へ向けて延びる線条ファスナーエレメント４０を押える押え部１１、１２を形成したことを特徴とする気密・水密性スライドファスナー用スライダー。
【請求項２】
スライダーは上翼板部材２０と下翼板部材２１と仕切板部材２２とから構成し、上翼板部材２０には下翼板部材２１へ向けて突出する上側案内柱２３を設け、下翼板部材２１には上翼板部材２０へ向けて突出する下側案内柱２４を設け、上側案内柱２３と下側案内柱２４との間の上側に被覆部材３３の挿通路７、下側に単体ファスナーエレメント４０の挿通路８を形成する仕切板部材２２を配して挟着し、仕切板部材２２と下翼板部材２１との対向面を平坦に形成したことを特徴とする気密・水密性スライドファスナー用スライダー。
【請求項３】
上側案内柱２３と下側案内柱２４のいずれか一方に挿入棒２５を設け、いずれか他方に挿入棒２５が挿入可能な挿入孔２７を設け、仕切板部材２２に挿入棒２５が挿入可能な挿通孔２８を設けてなる請求項１または２記載の気密・水密性スライドファスナー用スライダー。
【請求項４】
上側案内柱２３と下側案内柱２４のいずれか一方に仕切板部材２２を載置可能な棚部２６を設けてなる請求項１または２記載の気密・水密性スライドファスナー用スライダー。
【発明の詳細な説明】
【０００１】
【発明の属する技術分野】
この発明は、スライドファスナーにおけるファスナーテープに防水機能を具備させて、空気、水、その他の流動体をシールすることができる気密性、水密性を備えた可撓性のあるスライドファスナーチェンに用いるスライダーに関するものである。
【０００２】
【従来の技術】
従来の気密、水密性スライドファスナーは、図８に示すように、ファスナーテープの一側縁に金属の単体のファスナーエレメントを取り付け、このファスナーテープの表面に弾性材料たとえば天然ゴム、合成ゴム、弾性を備えた熱可塑性樹脂などを付着させ、かつファスナーエレメントの表面にも、これらの弾性材料を接着剤で接着してシール素体を形成し、ファスナーエレメント表面における一方のシール素体は、側縁が傾斜する着座表面を形成し、他方のシール素体は側縁が鋭角状に突出し、下面にシール面を形成し、ファスナーエレメントが噛み合ったとき、シール面が着座表面上を滑動して表面が平坦状になってシールする形態の気密、水密性スライドファスナーが特公昭３３−５３２８号公報に開示されている。
【０００３】
【発明が解決しようとする課題】
前項で述べた図８に示す気密・水密性スライドファスナーは、左右のファスナーストリンガが噛み合ったとき、弾性材料のシール素体は表面が平坦状でシールするため、ファスナーチェンを開閉操作するスライダーは特殊形態のスライダーを用いる必要はなく、スライダーは上翼板と下翼板の両側に同一幅のガイドフランジを設け、上翼板と下翼板とを案内柱で連結した通常タイプのスライダーを用いる。
【０００４】
従って、このタイプの気密・水密性スライドファスナーは、左右のシール素体が重合する部分が少なく気密・水密機能を確実に保持することができず、またファスナーチェンの製作が面倒であるなど問題点があった。そこでこの発明は、気密・水密機能を確実に発揮できる気密・水密性スライドファスナーの実用化を図り、このファスナーチェンに装備できるスライダーを発明したものである。
【０００５】
この発明のうち請求項１記載の発明は、気密・水密機能を具備した気密・水密性スライドファスナーで、ファスナーチェンはファスナーテープの一面に線条ファスナーエレメント、たとえば合成繊維のモノフィラメントから形成したコイル状ファスナーエレメント、またはジグザグ状ファスナーエレメントを装着し、その表面にシール用の弾性材を付着して被覆部材を形成したファスナーチェンであって、噛合時にファスナーエレメントの噛合部側における被覆部材が重合し密接する領域を形成する気密・水密機能を備えたファスナーチェンに適したスライダーを数個の構成部材に分割して形成し、確実に気密・水密機能が発揮できる気密・水密性スライドファスナー用スライダーを提供することが主たる目的である。
【０００６】
請求項２記載の発明は、気密・水密機能を具備した気密・水密性スライドファスナーで、ファスナーチェンはファスナーテープの一面に単体のファスナーエレメント、たとえば金属をプレス加工によって形成したファスナーエレメント、またはファスナーエレメントを熱可塑性樹脂を用いて射出成形して装着し、その表面にシール用の弾性材を付着して被覆部材を形成したファスナーチェンであって、噛合時にファスナーエレメントの噛合部側における被覆部材が重合し密接する領域を形成する気密・水密機能を備えたファスナーチェンに適したスライダーを数個の構成部材に分割して形成し、確実に気密・水密機能が発揮できる気密・水密性スライドファスナー用スライダーを提供することが主たる目的である。
【０００７】
請求項３記載の発明は、請求項１または２記載の発明の目的に加え、スライダーの案内柱を形成する上側案内柱か下側案内柱に相手側の案内柱に挿入できる挿入棒を形成し、仕切板部材には挿入棒が挿入できる挿通孔を形成して、スライダーを組み立てることができる気密・水密性スライドファスナー用スライダーを提供することが目的である。
【０００８】
請求項４記載の発明は、請求項１または２記載の発明の目的に加え、スライダーの案内柱を形成する上側案内柱か下側案内柱に相手側の案内柱に仕切板部材を載置できる棚部を形成して、スライダーを組み立てることができる気密・水密性スライドファスナー用スライダーを提供することが目的である。
【０００９】
【課題を解決するための手段】
前記の目的を達成するため、この発明のうち請求項１記載の発明は、スライダーを形成する部材を上翼板部材２０と下翼板部材２１と仕切板部材２２とから構成し、このうち上翼板部材２０には下翼板部材２１へ向けて突出する上側案内柱２３を設け、 また下翼板部材２１には上翼板部材２０へ向けて突出する下側案内柱２４をそれぞれ設け、上側案内柱２３と下側案内柱２４との間の上側に被覆部材３３の挿通路７を形成し、また下側に線条ファスナーエレメント４０の挿通路８を形成する仕切板部材２２を配して挟着し、仕切板部材２２と下翼板部材２１との対向面の少なくとも一方に案内柱４から後口１４へ向けて延びる線条ファスナーエレメント４０を押える押え部１１，１２を形成した気密・水密性スライドファスナー用スライダーを主な構成とするものである。
【００１０】
請求項２記載の発明は、スライダーを形成する部材を上翼板部材２０と下翼板部材２１と仕切板部材２２とから構成し、このうち上翼板部材２０には下翼板２１へ向けて突出する上側案内柱２３を設け、また下翼板部材２１には上翼板部材２０へ向けて突出する下側案内柱２４を設け、上側案内柱２３と下側案内柱２４との間に上側に被覆部材３３の挿通路７を形成し、また下側に単体ファスナーエレメント４０の挿通路８を形成する仕切板部材２２を配して挟着し、仕切板部材２２と下翼板部材２１との対向面を平坦に形成した気密・水密性スライドファスナー用スライダーを主な構成とするものである。
【００１１】
請求項３記載の発明は、請求項１または２記載の発明の構成に加え、スライダーを形成する上側案内柱２３と下側案内柱２４のいずれか一方に挿入棒２５を設け、いずれか他方に挿入棒２５が挿入できる挿入孔２７をそれぞれ設け、仕切板部材２２に挿入棒２５が挿入できる挿通孔２８を設けた気密・水密性スライドファスナー用スライダーである。
【００１２】
請求項４記載の発明は、請求項１または２記載の発明の構成に加え、スライダーを形成する上側案内柱２３と下側案内柱２４のいずれか一方に仕切板部材２２を載置できる棚部２６を設けた気密・水密性スライドファスナー用スライダーである。
【００１３】
【発明の実施の形態】
以下、この発明の気密・水密スライドファスナー用スライダーの実施の形態について、図面を参照しながら具体的に説明する。
【００１４】
この発明の気密・水密性スライドファスナー用スライダーを用いるファスナーチェン３０は、図６，７に示すように、合成繊維からなるファスナーテープ３１の一側縁表面にファスナーエレメント３２を取り付ける。ファスナーエレメント３２は合成繊維のモノフィラメントから形成したコイル状ファスナーエレメント４２あるいはジグザグ状ファスナーエレメントからなる線条ファスナーエレメント４０、また亜鉛合金、アルミニウム合金などをプレス加工によって形成した単体ファスナーエレメント４１、さらに熱可塑性樹脂を用いて射出成形加工によって成形した単体ファスナーエレメント４１から形成する。
【００１５】
このファスナーチェン３０におけるファスナーテープ３１の表面および長手方向の一側端縁に弾性材として天然ゴム、合成ゴムまたはポリエチレンテレフタレート系、ポリアミド系、ポリウレタン系エラストマーなどを溶着または接着によって付着し、防水性を備えたシール用の被覆部材３３を形成する。被覆部材３３は線条ファスナーエレメント４０、または単体ファスナーエレメント４１をファスナーテープ３１に取り付けた固定点３６よりも先の長さが、ファスナーテープ３１に取り付けたファスナーエレメント３２の固定点３６よりも先のファスナーエレメント３２の長さよりも長くなる形態に形成し、左右のファスナーエレメント３２が噛み合ったとき、先端が突き当たり突き上がって被覆部材３３の重合密接領域３４を形成し、ファスナーチェン３０に気密性、水密性を付与する。
【００１６】
以上説明した気密・水密性のファスナーチェン３０の開閉操作に用いるスライダーは、図１に示すようにスライダーを上翼板部材２０と下翼板部材２１および仕切板部材２２の３部材から構成し、これに上側案内柱２３および下側案内柱２４を組み合わせてスライダーを形成し、スライダーの胴体は、上翼板２と下翼板３とを肩口１９寄りの中央にて案内柱４で連結し、案内柱４の中間に仕切板５を上翼板２と下翼板３に並行状に固定し、仕切板５の上側に被覆部材３３が挿通する挿通路７を形成し、下側にファスナーエレメント３２が挿通する挿通路８を形成する。上翼板２の両側の中程から後口１４に至っては突き上がる重合密接領域３４の被覆部材３３を重合して密接する形でガイドするフランジ９を突設し、下翼板３の両側の中程から後口１４に至ってはファスナーエレメント３２を噛み合わす形でガイドするフランジ１０を突設する。上翼板２のフランジ９間の間隔は、下翼板３のフランジ１０間の間隔よりも狭く形成する。
【００１７】
なお、上翼板２のフランジ９間の間隔と、下翼板３のフランジ１０間の間隔は、線条ファスナーエレメント４０または単体ファスナーエレメント４１の形態および大きさ、またファスナーテープ３１上に付着した弾性材との厚さによってフランジ９、１０の形態が決まるもので、上翼板２側が大きく下翼板３側が小さい場合、また上翼板３側と下翼板３側とが同一寸法である場合がある。
【００１８】
図４に示すように、仕切板５の下面に線条ファスナーエレメント４０の噛合頭部側の上面を押える押え部１１を案内柱４から後口１４側へ向けて設け、図６に示すように下翼板３の内面に押え部１１に対向して線条ファスナーエレメント４０の噛合頭部側の下面を押える押え部１２を案内柱４から後口１４側へ向けて設けて挿通路８内を摺動する線条ファスナーエレメント４０の噛合頭部を正しい姿勢にガイドする。また下翼板３における両側のフランジ１０の基部に凸条に隆起するガイド部１３を設けて、線条ファスナーエレメント４０の反転部を正しい姿勢にガイドし、押え部１２との間に線条ファスナーエレメント４０を取り付けた縫糸３５を摩耗から保護するガイド溝１６を設け、さらに仕切板５の後口１４側の先端に棒状の突出棒１５を延出状に設け、突出棒１５の下面を押え部１１の表面と連続する平面とし、ファスナーチェン３０における線条ファスナーエレメント４０と被覆部材３３とを適切に区別して誘導する。上翼板２の表面には上翼板２の全長にわたって引手１７が摺動できる形に引手取付部１８が設けられている。
【００１９】
図７に示すスライダーはファスナーエレメント３２として金属性の単体ファスナーエレメント４１、また熱可塑性樹脂製の単体ファスナーエレメント４１を用いるタイプである。スライダーの胴体１は上翼板２と下翼板３とを案内柱４で連結し、案内柱４の中間に仕切板５を固定して上側にファスナーチェン３０の被覆部材３３の挿通路７を設け、下側に単体ファスナーエレメント４１の挿通路８を設ける。そして仕切板５の後口１４側の先端に突出棒１５を延出状に突設し、その下面に押え部を設けずに平坦状に形成する。また下翼板３の内面も平坦に形成し、しかも両側のフランジ１０の基部にも凸条のガイド部１３を設置しない。この形態は単体ファスナーエレメント４１に適した形態に形成したものであり、それ以外の構成は前記の実施例のスライダーの構成と全く同一の形態である。
【００２０】
上述の組み立てのスライダーについて詳述すると、下翼板部材２１は肩口１９側に寄った中央部分で、上翼板部材２０に設けた上側案内柱２３に対応する形で下側案内柱２４を突設し、この下側案内柱２４の基部から後口１４に向けて線条ファスナーエレメント４０の噛合頭部側を押える凸条の押え部１２を設け、両側に上翼板部材２０における間隔よりも広い線条ファスナーエレメント４０の噛み合いをガイドするフランジ１０を突設する。下側案内柱２４の上面には一定幅で仕切板部材２２の厚さで切り欠いた棚部２６を設けて仕切板部材２２に設けた挿通孔２８を嵌入し、仕切板部材２２を棚部２６で保持する。そして下側案内柱２４の中心には、上側案内柱２３に突設した挿入棒２５が挿通できる挿入孔２７が設けられている。
【００２１】
仕切板部材２２は上翼板部材２０のフランジ９の斜状部分９ａと平行な二辺とを有する略長五角形を呈する板状体から形成し、この仕切板部材２２の中央に下側案内柱２４に設けた棚部２６に挿入できる挿通孔２８が穿設され、また挿通孔２８の近傍から先端にかけて線条ファスナーエレメント４０の噛合頭部側を押える押え部１１を設け、押え部１１の先端に棒状の突出棒１５を一体に設ける。
【００２２】
以上説明したとおり、上翼板部材２０、下翼板部材２１、仕切板部材２２とを組み立ててスライダーを形成するには、まず下翼板部材２１の下側案内柱２４の棚部２６に仕切板部材２２に設けた挿通孔２８を互いに線条ファスナーエレメント４０の押え部１１、１２が対向する形で嵌入し、その上方から上翼板部材２０を載置するが、上翼板部材２０の上側案内柱２３に突設した挿入棒２５を下側案内柱２４に設けた挿入孔２７に挿入し、上側案内柱２３と下側案内柱２４とで仕切板部材２２を挟持した状態で挿入棒２５と挿入孔２７とを溶着するか、または挿入棒２５の先端を圧潰して下翼板部材２１に固定することによって、スライダーを組み立てる。
【００２３】
なお、挿入棒２５を下側案内柱２４に設け、挿入孔２７を上側案内柱２３に設けるものであってもよい。また棚部２６を上側案内柱２３に設けてもよい。さらに仕切板部材２１の押え部１１、１２の配置を適宜変更することも自由にできる。
【００２４】
【発明の効果】
この発明の気密・水密性スライドファスナー用スライダーは、以上説明したとおりの構成であり、この構成によって下記の効果を奏する。
【００２５】
この発明のうち請求項１記載の発明は、スライダーを上翼板部材と下翼板部材と仕切板部材とから構成し、上翼板部材には下翼板部材へ向けて突出する上側案内柱を設け、下翼板部材には上翼板部材へ向けて突出する下側案内柱を設け、上側案内柱と下側案内柱との間の上側に被覆部材の挿通路、下側に線条ファスナーエレメントの挿通路を形成する仕切板部材との対向面の少なくとも一方に案内柱から後口へ向けて延びる線条ファスナーエレメントを押える押え部を形成したことによって、線条ファスナーエレメントを用いたファスナーチェンの表面にシール用の被覆部材を装備し、噛合時に被覆部材が重合し密接する領域を形成する気密・水密機能を備えたファスナーチェンに最も適したスライダーを数個のパーツに分割してスライダーの組み立てを容易にし、線条ファスナーエレメントを安定した状態でガイドし、確実に気密・水密機能が発揮できる効果がある。
【００２６】
請求項２記載の発明は、スライダーを上翼板部材と下翼板部材と仕切板部材とから構成し、上翼板部材には下翼板部材へ向けて突出する上側案内柱を設け、下翼板部材には上翼板部材へ向けて突出する下側案内柱を設け、上側案内柱と下側案内柱との間の上側に被覆部材の挿通路、下側に単体ファスナーエレメントの挿通路を形成する仕切板部材を配して挟着し、仕切板部材と下翼板部材との対向面を平坦に形成したことによって、単体ファスナーエレメントを用いたファスナーチェンの表面にシール用の被覆部材を装備し、噛合時に被覆部材が重合し密接する領域を形成するファスナーチェンに最も適したスライダーを数個のパーツに分割してスライダーの組み立てを容易にし、単体ファスナーエレメントを安定した状態でガイドし、確実に気密・水密機能を発揮できる効果がある。
【００２７】
請求項３記載の発明は、請求項１または２記載の発明の効果に加え、上側案内柱と下側案内柱のいずれか一方に挿入棒を設け、いずれか他方に挿入棒が挿入可能な挿入孔を設け、仕切板部材に挿入棒が挿入可能な挿通孔を設けたことによって、スライダーの上側案内柱と下側案内柱を容易かつ的確に組み付けることができ、スライダーの作製がきわめて容易にできる効果がある。
【００２８】
請求項４記載の発明は、請求項１または２記載の発明の効果に加え、上側案内柱と下側案内柱のいずれか一方に仕切板部材を載置可能な棚部を設けたことによって、スライダーの仕切板を容易かつ安定した状態に組み付けることができ、スライダーの作製がきわめて容易にできる効果があるなど、この発明が奏する効果は極めて顕著である。
【図面の簡単な説明】
【図１】  数個のパーツから形成された気密・水密性スライダーの分解斜視図である。
【図２】  同上スライダーの正面図である。
【図３】  同上スライダーの図２におけるＡ−Ａ線断面図である。
【図４】  同上スライダーの図２におけるＢ−Ｂ線断面図である。
【図５】  同上スライダーの図２におけるＣ−Ｃ線面図である。
【図６】  線条ファスナーエレメントを備えた気密・水密性スライドファスナーのスライダーを後口側で切断した断面図である。
【図７】  単体ファスナーエレメントを備えた気密・水密性スライドファスナーのスライダーを後口側で切断した断面図である。
【図８】  公知の気密・水密性スライドファスナーの横断面図である。
【符号の説明】
１            胴体
２            上翼板
３            下翼板
４            案内柱
５            仕切板
７            挿通路（被覆部材用）
８            挿通路（ファスナーエレメント用）
９            フランジ（上翼板）
１０            フランジ（下翼板）
１１            押え部（仕切板）
１２            押え部（下翼板）
１４            後口
１５            突出棒
２０            上翼板部材
２１            下翼板部材
２２            仕切板部材
２３            上側案内柱
２４            下側案内柱
２５            挿入棒
２６            棚部
２７            挿入孔
２８            挿通孔
３０            ファスナーチェン
３１            ファスナーテープ
３２            ファスナーエレメント
３３            被覆部材
３４            重合密接領域
３６            固定点
４０            線条ファスナーエレメント
４１            単体ファスナーエレメント
【図１】
0003659325.tif 000002
【図２】
0003659325.tif 000003
【図３】
0003659325.tif 000004
【図４】
0003659325.tif 000005
【図５】
0003659325.tif 000006
【図６】
0003659325.tif 000007
【図７】
0003659325.tif 000008
【図８】
0003659325.tif 000009